(57)【要約】【課題】  用紙が繰り返しジャムする事態を防ぐことができる画像形成装置およびその制御方法を提供すること。【解決手段】  プリントジョブの開始後に用紙Ｐがジャムしたとき、そのプリントジョブを自動的に再開するための自動再開モードが設定されているか否かが判定される。この判定結果が肯定のとき、上記ジャムが解除された後で、上記プリントジョブが再開される。上記判定結果が否定のとき、上記プリントジョブが中止される。【選択図】      図５
2008233908.tif 000002
【特許請求の範囲】
【請求項１】
画像を用紙にプリントするプリントジョブの発生時、そのプリントジョブを開始する第１制御手段と、
前記プリントジョブの開始後に前記用紙がジャムしたとき、そのプリントジョブを自動的に再開するための自動再開モードが設定されているか否かを判定し、この判定結果が肯定のとき、前記ジャムが解除された後で前記プリントジョブを再開し、前記判定結果が否定のとき、前記プリントジョブを中止する第２制御手段と、
を備えていることを特徴とする画像形成装置。
【請求項２】
前記第２制御手段は、
前記プリントジョブの開始後に前記用紙がジャムしたとき、そのプリントジョブを自動的に再開するための自動再開モードが設定されているか否かを判定する第１判定手段と、
前記第１判定手段の判定結果が肯定のとき、前記ジャムが解除された後に、前記プリントジョブを再開する第１制御手段と、
前記第１判定手段の判定結果が否定のとき、前記プリントジョブを中止する第２制御手段と、
を備えていることを特徴とする請求項１に記載の画像形成装置。
【請求項３】
表示手段をさらに備えていることを特徴とする請求項１に記載の画像形成装置。
【請求項４】
前記第２制御手段は、
前記プリントジョブの開始後に前記用紙がジャムしたとき、そのプリントジョブを自動的に再開するための自動再開モードが設定されているか否かを判定する第１判定手段と、
前記第１判定手段の判定結果が肯定のとき、前記ジャムが解除された後に、前記プリントジョブを再開する第１制御手段と、
前記第１判定手段の判定結果が否定のとき、前記プリントジョブが中止可能なものであるか否かを判定する第２判定手段と、
前記第２判定手段の判定結果が否定のとき、前記ジャムが解除された後に、前記プリントジョブを再開する第２制御手段と、
前記第２判定手段の判定結果が肯定のとき、前記ジャムが解除された後に、前記プリントジョブを中止するか否かの問い合わせを前記表示手段で表示する第３制御手段と、
前記第３制御手段の表示に際し、前記中止が指定されたとき、前記プリントジョブを中止する第４制御手段と、
前記第３制御手段の表示に際し、前記中止が指定されないとき、前記プリントジョブを再開する第５制御手段と、
を備えていることを特徴とする請求項３に記載の画像形成装置。
【請求項５】
前記表示手段は、前記設定および前記指定のための操作機能を有するタッチパネル式の液晶表示手段であることを特徴とする請求項４に記載の画像形成装置。
【請求項６】
前記第２制御手段は、
前記プリントジョブの開始後に前記用紙がジャムしたとき、そのプリントジョブを自動的に再開するための自動再開モードが設定されているか否かを判定する第１判定手段と、
前記第１判定手段の判定結果が肯定のとき、前記ジャムが解除された後に、前記プリントジョブを再開する第１制御手段と、
前記第１判定手段の判定結果が否定のとき、前記プリントジョブが中止可能なものであるか否かを判定する第２判定手段と、
前記第２判定手段の判定結果が否定のとき、前記ジャムが解除された後に、前記プリントジョブを再開する第２制御手段と、
前記第２判定手段の判定結果が肯定のとき、前記ジャムが解除された後に、前記プリントジョブを中止するか否かの問い合わせを前記表示手段で表示する第３制御手段と、
前記第３制御手段の表示に際し、前記中止が指定されたとき、前記プリントジョブを中止する第４制御手段と、
前記第３制御手段の表示に際し、前記中止が指定されないとき、前記プリントジョブを外部機器に転送するか否かの問い合わせを前記表示セクションで表示する第５制御手段と、
前記第５制御手段の表示に際し、前記転送が指定されたとき、前記プリントジョブを前記外部機器に転送する第６制御手段と、
前記第５制御手段の表示に際し、前記転送が指定されないとき、前記プリントジョブを再開する第７制御手段と、
を備えていることを特徴とする請求項３に記載の画像形成装置。
【請求項７】
前記表示手段は、前記設定および前記指定のための操作機能を有するタッチパネル式の液晶表示手段であることを特徴とする請求項６に記載の画像形成装置。
【請求項８】
画像を用紙にプリントするプリントジョブの発生時、そのプリントジョブを開始するステップと、
前記プリントジョブの開始後に前記用紙がジャムしたとき、そのプリントジョブを自動的に再開するための自動再開モードが設定されているか否かを判定し、この判定結果が肯定のとき、前記ジャムが解除された後で前記プリントジョブを再開し、前記判定結果が否定のとき、前記プリントジョブを中止するステップと、
を備えていることを特徴とする画像形成装置の制御方法。
【発明の詳細な説明】
【技術分野】
【０００１】
この発明は、画像を用紙にプリントする画像形成装置およびその制御方法に関する。
【背景技術】
【０００２】
画像形成装置は、原稿からスキャンした画像あるいは外部から入力される画像に対応する静電潜像を感光体ドラムの表面に形成し、その静電潜像を現像剤により現像して可視像化し、その可視像を用紙に転写する。用紙は、カセットに収容されており、一枚ずつ取出されて感光体ドラムに搬送される。上記可視像が転写された用紙は、定着ユニットに搬送される。定着ユニットは、用紙上に転写されている可視像を、熱により定着させる。この定着が済んだ用紙は、本体外に排出される。こうして、上記原稿上の画像あるいは外部から入力される画像が、用紙にプリントされる。
【０００３】
このようなプリントの実行中、搬送中の用紙がジャムすることがある。ジャムが発生すると、当然ながら、プリントが中断する。ユーザによって用紙のジャムが解除されると、自動的にプリントが再開される。（例えば、特許文献１を参照）
【特許文献１】特開２００２−２３４２３８号公報
【発明の開示】
【発明が解決しようとする課題】
【０００４】
しかしながら、ジャムの原因がメカ的な故障である場合など、ジャムの根本的な原因が解消されていないため、ユーザによってジャムが解除されても、再びジャムが発生してしまう。こうして、ジャムが繰り返されることにより、何枚かの用紙および現像剤が無駄になる。
【０００５】
本発明はこのような事情に基づいてなされたものであり、その目的は、用紙が繰り返しジャムする事態を防ぐことができる画像形成装置およびその制御方法を提供することである。
【課題を解決するための手段】
【０００６】
本発明の画像形成装置は、画像を用紙にプリントするプリントジョブの発生時、そのプリントジョブを開始する第１制御手段と、前記プリントジョブの開始後に前記用紙がジャムしたとき、そのプリントジョブを自動的に再開するための自動再開モードが設定されているか否かを判定し、この判定結果が肯定のとき、前記ジャムが解除された後で前記プリントジョブを再開し、前記判定結果が否定のとき、前記プリントジョブを中止する第２制御手段と、を備えていることを特徴としている。
【発明の効果】
【０００７】
かかる手段を講じた本発明によれば、用紙が繰り返しジャムする事態を防ぐことができる画像形成装置およびその制御方法を提供することができる。
【発明を実施するための最良の形態】
【０００８】
以下、この発明の一実施形態について図面を参照して説明する。  
図１および図２に示すように、画像形成装置の本体１の上部に原稿台２およびコントロールパネル３が設けられ、その原稿台２上に自動原稿送り装置（ＡＤＦ）４が開閉自在に設けられている。
【０００９】
原稿台２の下面側にキャリッジ１０が設けられ、そのキャリッジ１０に露光ランプ１１が設けられている。キャリッジ１０は、原稿台２の下面に沿って往復動することができる。キャリッジ１０が往動しながら、露光ランプ１１が点灯することにより、原稿台２にセットされている原稿が露光される。
【００１０】
この露光により、原稿台２にセットされている原稿の反射光像が得られ、それが反射ミラー１２，１３，１４およびレンズブロック１５によってＣＣＤ（Charge Coupled Device）１６に投影される。ＣＣＤ１６は、受光量に対応する電圧レベルの信号を出力する。
【００１１】
これらキャリッジ１０、露光ランプ１１、反射ミラー１２，１３，１４、レンズブロック１５、およびＣＣＤ１６などにより、原稿台２にセットされた原稿を光学的に読取るスキャナが構成されている。
【００１２】
上記ＣＣＤ１０から出力される画像信号が増幅され且つ画像処理された後、レーザユニット２７に供給される。レーザユニット２７は、入力信号に応じたレーザビームＢを発する。
【００１３】
また、本体１内の略中央部に、感光体ドラム２０が回転自在に設けられている。この感光体ドラム２０の周囲に、帯電ユニット２１、現像ユニット２２、転写ユニット２３、剥離ユニット２４、クリーナ２５、除電ユニット２６が順に配設されている。そして、上記レーザユニット２７から発せられるレーザビームＢが、感光体ドラム２０の表面に照射される。
【００１４】
本体１内の底部に、複数のカセット３０が設けられている。これらカセット３０に、互いに異なるサイズの多数枚の用紙Ｐが収容されている。これらカセット３０のいずれか１つから用紙Ｐが１枚ずつ取出される。この取出し用として、各カセット３０にピックアップローラ３１が設けられている。取出された用紙Ｐは、それぞれ分離ローラ３２によりカセット３０から分離され、レジストローラ３３に送られる。レジストローラ３３は、感光体ドラム２０の回転を考慮したタイミングで、用紙Ｐを感光体ドラム２０と転写ユニット２３との間に送り込む。
【００１５】
上記帯電ユニット２１は、高電圧を感光体ドラム２０に印加することにより、感光体ドラム２０の表面に静電荷を帯電させる。この帯電が済んだ感光体ドラム２０の表面に、レーザユニット２７から発せられるレーザビームＢが照射される。この照射により、上記スキャナで読取られた画像に対応する静電潜像が、感光体ドラム２０の表面に形成される。
【００１６】
感光体ドラム２０に形成された静電潜像は、現像ユニット２２から供給される現像剤（トナー）により、可視像化される。この可視像が、転写ユニット２３により、用紙Ｐに転写される。転写が済んだ用紙Ｐは、剥離ユニット２４により、感光体ドラム２０から剥離される。用紙Ｐが剥離された感光体ドラム２０の表面には、現像剤および電荷が残留している。残留している現像剤は、クリーナ２５により除去される。残留している電荷は、除電ユニット２８により除去される。
【００１７】
感光体ドラム２０から剥離された用紙Ｐは、搬送ベルト４１によって定着ユニット４２に送られる。定着ユニット４２は、用紙Ｐに転写されている可視像を熱によって定着させる。定着が済んだ用紙Ｐは、排紙ローラ４３により排出口４４を通って排紙ユニット６へ排出される。
【００１８】
上記感光体ドラム２０から排出口４４までの構成により、上記スキャナで読取られた画像を用紙Ｐにプリントするプリンタが構成されている。
【００１９】
上記コントロールパネル３は、図３に示すように、スタートキー３ａ、テンキーパッド３ｂ、コピーキー３ｃ、スキャンキー３ｄ、プリントキー３ｅ、ファクシミリキー３ｆを有するとともに、表示セクションとしてタッチパネル式の液晶表示画面３ｇを有している。
【００２０】
全体的な制御回路を図４に示している。
【００２１】
ＣＰＵ５０に、ＲＡＭ５１、ＲＯＭ５２、ハードディスクドライブ５３、パネル制御部５４、コピー制御部５５、スキャナ制御部５６、プリンタ制御部５７、ファクシミリ（ＦＡＸ）制御部５８、およびネットワーク制御部５９が接続されている。
【００２２】
上記ＲＡＭ５１は、各種データの記憶用である。ＲＯＭ５２には、本体１の動作に必要な各種制御プログラムが記憶されている。ハードディスクドライブ５３には、本体１でスキャンされた画像データ、および外部機器から転送されてくる画像データなどが記憶される。
【００２３】
パネル制御部５４は、上記コントロールパネル３を制御する。コピー制御部５５は、スキャナ６０およびプリンタ６１を用いた通常のコピー機能を制御する。スキャナ制御部５６は、スキャナ６０を用いたスキャン機能（スキャンtoボックス機能、スキャンtoファイル機能、スキャンto E-mail機能）を制御する。プリンタ制御部５７は、プリンタ６１を用いたネットワークプリント機能を制御する。ファクシミリ制御部５８は、プリンタ６１を用いたファクシミリ機能を制御する。
【００２４】
ネットワーク制御部５９は、ネットワークインタフェース６２を介して外部機器との間のデータ送受信を制御する。ネットワークインタフェース６２は、ＬＡＮボードやＦＡＸモデムなどを含み、外部の通信回線７０を介して外部機器であるパーソナルコンピュータ７１，７２、ファクシミリ装置７３、および他の画像形成装置７４などに接続される。
【００２５】
上記ＣＰＵ５０は、第１制御セクションおよび第２制御セクションを備えている。第１制御セクションは、画像を用紙Ｐにプリントするプリントジョブの発生時、そのプリントジョブを開始する。第２制御セクションは、上記プリントジョブの開始後に用紙Ｐがジャムしたとき、そのプリントジョブを自動的に再開するための自動再開モードが設定されているか否かを判定し、この判定結果が肯定のとき、上記ジャムが解除された後で上記プリントジョブを再開し、上記判定結果が否定のとき、上記プリントジョブを中止する。
【００２６】
つぎに、図５のフローチャートを参照しながら、作用を説明する。
【００２７】
コピー、ネットワークプリント、ファクシミリ受信などのプリントジョブが発生すると（ステップ１０１のＹＥＳ）、そのプリントジョブが開始される（ステップ１０２）。
【００２８】
このプリントジョブの開始後に用紙Ｐがジャムしたとき（ステップ１０３のＹＥＳ）、そのプリントジョブを自動的に再開するための自動再開モードが設定されているか否かが判定される（ステップ１０４）。自動再開モードは、コントロールパネル３の液晶表示画面３ｇのタッチ操作により、ユーザが自由に設定することができる。
【００２９】
上記ステップ１０４の判定結果が肯定のとき（ステップ１０４のＹＥＳ）、つまり自動再開モードが設定されていれば、用紙Ｐのジャムがユーザによって解除された後（ステップ１０５のＹＥＳ）、上記プリントジョブが再開される（ステップ１０６）。
【００３０】
ただし、上記ステップ１０４の判定結果が否定のとき（ステップ１０４のＮＯ）、つまり自動再開モードが設定されていなければ（ユーザ選択モードともいう）、上記プリントジョブが中止可能なものであるか否かが判定される（ステップ１０７）。コピーおよびネットワークプリントなどのプリントジョブは中止可能なものであるが、ファクシミリ受信などのプリントジョブは中止不可能なものである。
【００３１】
ステップ１０７の判定結果が否定のとき（ステップ１０７のＮＯ）、つまり上記プリントジョブが中止不可能なものであるとき、用紙Ｐのジャムがユーザによって解除された後（ステップ１０５のＹＥＳ）、上記プリントジョブが再開される（ステップ１０６）。
【００３２】
ステップ１０７の判定結果が肯定のとき（ステップ１０７のＹＥＳ）、つまり上記プリントジョブが中止可能なものであるとき、用紙Ｐのジャムがユーザによって解除された後（ステップ１０８のＹＥＳ）、図３に示すように、プリントジョブを中止するか否かの問い合わせとして、“プリントを中止しますか？”の文言がコントロールパネル３の液晶表示画面３ｇで表示される（ステップ１０９）。この液晶表示画面３ｇには、中止を指定するための“はい”ボタン、および中止しないを指定するための“いいえ”ボタンも、表示される。
【００３３】
ユーザが“はい”ボタンにタッチすると（ステップ１１０のＹＥＳ）、上記プリントジョブが中止される（ステップ１１１）。この中止により、別の用紙Ｐが繰り返しジャムする事態を未然に防ぐことができる。したがって、用紙Ｐおよび現像剤の無駄な消費を防ぐことができる。
【００３４】
ユーザが“いいえ”ボタンにタッチすると（ステップ１１０のＮＯ、ステップ１１２のＹＥＳ）、図６に示すように、上記プリントジョブを外部機器に転送するか否かの問い合わせとして、“転送しますか？”の文言がコントロールパネル３の液晶表示画面３ｇで表示される（ステップ１１３）。この液晶表示画面３ｇには、転送を指定するための“はい”ボタン、および転送しないを指定するための“いいえ”ボタンも、表示される。
【００３５】
ユーザが“はい”ボタンにタッチすると（ステップ１１４のＹＥＳ）、上記プリントジョブが外部機器たとえば他の画像形成装置７４に転送される（ステップ１１５）。転送されたプリントジョブは、画像形成装置７４で実行される。
【００３６】
ユーザが“いいえ”ボタンにタッチすると（ステップ１１４のＮＯ、ステップ１１６のＹＥＳ）、上記プリントジョブが再開される（ステップ１０６）。
【００３７】
その他、この発明は上記各実施形態に限定するものではなく、要旨を変えない範囲で種々変形実施可能である。
【図面の簡単な説明】
【００３８】
【図１】本発明の一実施形態の外観を示す斜視図。
【図２】同実施形態の本体の内部の構成を示す図。
【図３】同実施形態のコントロールパネルの構成および表示例を示す図。
【図４】同実施形態の制御回路のブロック図。
【図５】同実施形態の作用を説明するためのフローチャート。
【図６】同実施形態のコントロールパネルの別の表示例を示す図。
【符号の説明】
【００３９】
Ｐ…用紙、１…本体、３…コントロールパネル、３ａ…スタートキー、３ｂ…テンキーパッド、３ｃ…コピーキー、３ｄ…スキャンキー、３ｅ…プリントキー、３ｆ…ファクシミリキー、５０…ＣＰＵ、５１…ＲＡＭ、５２…ＲＯＭ、５３…ハードディスクドライブ、５４…パネル制御部、５５…コピー制御部、５６…スキャナ制御部、５７…プリンタ制御部、５８…ファクシミリ制御部、５９…ネットワーク制御部、６０…スキャナ、６１…プリンタ、６２…ネットワークインタフェース、７０…通信回線
【図１】
2008233908.tif 000003
【図２】
2008233908.tif 000004
【図３】
2008233908.tif 000005
【図４】
2008233908.tif 000006
【図５】
2008233908.tif 000007
【図６】
2008233908.tif 000008